(57)【要約】【課題】表面実装型固体電解コンデンサに関し、その低背化を図ることにある。【解決手段】配線部材（プリント回路基板６４）に表面実装される表面実装型固体電解コンデンサ（電解コンデンサ２、２Ａ〜２Ｈ）であって、コンデンサ素子（４）が収納された外装ケース（８）と、前記コンデンサ素子の端子リード（１２、１４）を貫通させて引き出す端子貫通孔（２０、２２）とともに樹脂注入孔（２５）を備え、前記外装ケースの開口部を閉じる絶縁板（６）と、前記樹脂注入孔から注入されて、前記外装ケースと前記絶縁板とを封止する樹脂（１０）とを備えている。【選択図】図１
2011077368.tif 000002
【特許請求の範囲】
【請求項１】
配線部材に表面実装される表面実装型固体電解コンデンサであって、
コンデンサ素子が収納された外装ケースと、
前記コンデンサ素子の端子リードを貫通させて引き出す端子貫通孔とともに樹脂注入孔を備え、前記外装ケースの開口部を閉じる絶縁板と、
前記樹脂注入孔から注入されて、前記外装ケースと前記絶縁板とを封止する樹脂と、
を備えることを特徴とする、表面実装型固体電解コンデンサ。
【請求項２】
前記樹脂は、前記樹脂注入孔に充填されていることを特徴とする、請求項１記載の表面実装型固体電解コンデンサ。
【請求項３】
前記樹脂注入孔は、前記絶縁板の内面側の少なくとも一部を径小部、その外面側の少なくとも一部を径大部とし、前記樹脂が前記径小部よりも外面側まで充填されていることを特徴とする、請求項１記載の表面実装型固体電解コンデンサ。
【請求項４】
前記外装ケースは、前記コンデンサ素子側に突出する単一又は複数の突部を備えることを特徴とする、請求項１記載の表面実装型固体電解コンデンサ。
【請求項５】
前記端子貫通孔の中途部分に突起が備えられ、該突起を前記端子リードに密着させたことを特徴とする、請求項１記載の表面実装型固体電解コンデンサ。
【請求項６】
配線基板に表面実装される表面実装型固体電解コンデンサの製造方法であって、
外装ケースにコンデンサ素子を収納する工程と、
前記コンデンサ素子の端子リードを貫通させて引き出す端子貫通孔とともに樹脂注入孔を備える絶縁板で前記外装ケースの開口部を閉じる工程と、
前記樹脂注入孔から液状樹脂を注入し、前記外装ケースと前記絶縁板とを封止する工程と、
を含むことを特徴とする、表面実装型固体電解コンデンサの製造方法。
【請求項７】
前記絶縁板に前記に樹脂注入孔と別個に空気排出孔を備え、前記液状樹脂の注入の際、該空気排出孔から前記外装ケース内の空気を排出させることを特徴とする、請求項６記載の表面実装型固体電解コンデンサの製造方法。
【発明の詳細な説明】
【技術分野】
【０００１】
本発明は、プリント基板等の配線板に表面実装される表面実装型固体電解コンデンサに関し、例えば、金属製外装ケースを封止する絶縁板に表面実装用リード部を配した表面実装型固体電解コンデンサ及びその製造方法に関する。
【背景技術】
【０００２】
近年の各種電子部品の表面実装化は、電子機器の小型化やプリント基板に対する実装効率等の要請によるものである。斯かる要請は、電解コンデンサに対しても例外ではなく、電解コンデンサにあっては、背丈を低くする低背化が強く求められている。また、高速化や多機能化等の電子機器の多様化は、電解コンデンサに求められる特性にも影響を与えている。
【０００３】
表面実装が可能な電解コンデンサには縦置き型電解コンデンサが知られている。縦置き型では、封口部材に弾性ゴムを使用して外装ケースを封口するとともに絶縁板が備えられている。この絶縁板には封口部材から引き出された複数のリード線が挿通され、各リード線を折曲して絶縁板側にある収納溝に収納し、これらを接続電極とするものが知られている（例えば、特許文献１）。縦置き型と称される所以は、外装ケースに絶縁板を配することによって縦方向に自立可能であり、以て表面実装が可能であることにある。
【０００４】
ところで、固体電解質を用いた電解コンデンサでは、固体電解質に二酸化マンガン等の金属酸化物半導体が用いられてきたが、これ以外に有機導電性化合物として、テトラシアノキノジメタン（ＴＣＮＱ）等の有機半導体、ポリチオフェン、ポリピロール、ポリアニリン又はこれらの誘導体等の導電性高分子が実用化されている。有機導電性化合物は、二酸化マンガン等の金属酸化物半導体に比較して電導度が高く、電解コンデンサのＥＳＲ（Equivalent Series Resistance: 等価直列抵抗）特性の低減をもたらす。更に、ポリチオフェン、ポリピロール、ポリアニリン又はこれらの誘導体等も、電解質がポリマー化しているので、耐熱性に優れており、表面実装型の電解コンデンサに適している。
【０００５】
また、液体電解質を用いた電解コンデンサでは、外装ケースの封口に封口ゴムが使用されてきた。コンデンサ素子に含浸した電解液の蒸散阻止には、外装ケースを封口ゴムで封止することが最適であるとされてきたが、固体電解コンデンサでは、電解液の蒸散阻止は不要である。
【０００６】
外装封止に封口ゴムを用いない電解コンデンサとして、アルミケースにアルミ蓋を溶接するもの（例えば、特許文献２、３）、モールドして封止するもの（例えば、特許文献４）、樹脂ケースを用いるもの（例えば、特許文献５）等が知られている。
【先行技術文献】
【特許文献】
【０００７】
【特許文献１】特開昭５９−２１１２１４号公報
【特許文献２】特開平０９−２８９１３８号公報
【特許文献３】特開平１１−１４５０００号公報
【特許文献４】特開２００３−２７２９６２号公報
【特許文献５】特開２００９−１３５２４９号公報
【発明の概要】
【発明が解決しようとする課題】
【０００８】
ところで、外装ケースから封口ゴムを除くことは部品点数の削減や低背化に寄与するが、アルミケースにアルミ蓋を溶接すること（特許文献２、３）はその処理工程が複雑化し、外装ケースに代えてモールド処理するものでは（特許文献４）、外装樹脂の成形型やその処理が不可欠であって、設備の大型化やその設置費用が膨大化するという課題がある。また、樹脂ケースを用いるもの（特許文献５）では金属ケースに比べ肉厚となるため、電解コンデンサの小型化を妨げるという課題がある。また、従前の構造では低背化を図ることが困難であった。
【０００９】
そこで、本発明の表面実装型固体電解コンデンサ又はその製造方法の目的は、表面実装型固体電解コンデンサに関し、その低背化を図ることにある。
【課題を解決するための手段】
【００１０】
上記課題を解決するため、本発明の第１の側面は、配線部材に表面実装される表面実装型固体電解コンデンサであって、外装ケースと、絶縁板と、樹脂とを備える。前記外装ケースはコンデンサ素子を収納する。前記絶縁板は、前記コンデンサ素子の端子リードを貫通させて引き出す端子貫通孔とともに樹脂注入孔を備え、前記外装ケースの開口部を閉じる。前記樹脂は、前記樹脂注入孔から注入されて、前記外装ケースと前記絶縁板とを封止する。
【００１１】
上記課題を解決するため、本発明の第２の側面は、配線基板に表面実装される表面実装型固体電解コンデンサの製造方法であって、コンデンサ素子の収納工程と、絶縁板による外装ケースの閉止工程と、封止工程とを含む。前記収納工程では、外装ケースにコンデンサ素子を収納する。前記閉止工程では、前記コンデンサ素子の端子リードを貫通させて引き出す端子貫通孔とともに樹脂注入孔を備える絶縁板で前記外装ケースの開口部を閉じる。前記封止工程では、前記樹脂注入孔から液状樹脂を注入し、前記外装ケースと前記絶縁板とを封止する。
【発明の効果】
【００１２】
本発明の表面実装型固体電解コンデンサ又はその製造方法によれば、次のような効果が得られる。
【００１３】
(1) コンデンサ素子を封入する外装ケースの封口構造を簡略化でき、表面実装型固体電解コンデンサの低背化を図ることができる。
【００１４】
(2) 外装ケースと該外装ケースを封口する絶縁板とを封止樹脂モールドの型として利用するので、外装ケース及び絶縁板の封止を容易化でき、表面実装型固体電解コンデンサの製造を容易化できる。
【００１５】
(3) 外装ケースに金属ケースを用いることができ、樹脂ケースに比較してケース厚を薄くでき、表面実装型固体電解コンデンサの小型化を図ることができる。
【００１６】
そして、本発明の他の目的、特徴及び利点は、添付図面及び各実施の形態を参照することにより、一層明確になるであろう。
【図面の簡単な説明】
【００１７】
【図１】第１の実施の形態に係る表面実装型固体電解コンデンサを示す断面図である。
【図２】表面実装型固体電解コンデンサを示す分解斜視図である。
【図３】実装面側から見た表面実装型固体電解コンデンサを示す図である。
【図４】図３に示す表面実装型固体電解コンデンサのIV−IV線断面図である。
【図５】表面実装型固体電解コンデンサの製造工程の一例を示す図である。
【図６】第２の実施の形態に係る表面実装型固体電解コンデンサを示す断面図である。
【図７】実装面側から見た表面実装型固体電解コンデンサを示す図である。
【図８】図７に示す表面実装型固体電解コンデンサのVIII−VIII線断面図である。
【図９】第３の実施の形態に係る表面実装型固体電解コンデンサを示す断面図である。
【図１０】第３の実施の形態に係る表面実装型固体電解コンデンサの変形例を示す断面図である。
【図１１】第４の実施の形態に係る表面実装型固体電解コンデンサの一部を示す断面図である。
【図１２】第４の実施の形態に係る表面実装型固体電解コンデンサの変形例を示す断面図である。
【図１３】第４の実施の形態に係る表面実装型固体電解コンデンサの他の変形例を示す断面図である。
【図１４】第５の実施の形態に係る表面実装型固体電解コンデンサを示す断面図である。
【図１５】外装ケース及び絶縁板を示す斜視図である。
【図１６】第６の実施の形態に係る電子機器を示す図である。
【図１７】樹脂注入孔の他の実施の形態を示す図である。
【発明を実施するための形態】
【００１８】
〔第１の実施の形態〕
【００１９】
第１の実施の形態は、コンデンサ素子が収納された外装ケースに金属製ケースを使用し、その開口部に絶縁板を設置し、該絶縁板にある樹脂注入孔から注入した封止樹脂を外装ケースに充填し、外装ケース及び絶縁板を封止樹脂で封止した表面実装型固体電解コンデンサ（以下単に「電解コンデンサ」と称する。）及びその製造方法である。
【００２０】
この第１の実施の形態について、図１、図２、図３及び図４を参照する。図１は、第１の実施の形態に係る電解コンデンサの一例を示す断面図、図２は、電解コンデンサの分解斜視図、図３は、実装面側から見た電解コンデンサを示す図、図４は、図３のIV−IV線断面図である。
【００２１】
この電解コンデンサ２Ａは、本発明の表面実装型固体電解コンデンサの一例であって、図１に示すように、コンデンサ素子４と、絶縁板６と、外装ケース８と、封止樹脂１０と、端子リード１２、１４とを備えている。
【００２２】
コンデンサ素子４は例えば、帯状の陽極箔と陰極箔との間にセパレータを介挿して円筒形に巻回した巻回素子であって、その内部には固体電解質が含浸された固体電解コンデンサ素子である。このコンデンサ素子４の陽極箔には陽極側リード部１６、陰極箔には陰極側リード部１８が接続されている。
【００２３】
絶縁板６は、外装ケース８を封口する封口手段の一例であって、この絶縁板６には陽極側リード部１６及び陰極側リード部１８を貫通させる貫通孔２０、２２と、外装ケース８の開口縁部が挿入される溝部２４と、外装ケース８内に封止樹脂１０を注入するための樹脂注入孔２５と、空気排出孔２６（図２）とを備えている。貫通孔２０、２２は端子リード１２、１４の形状に対応する形状の内形状を備え、陽極側リード部１６及び陰極側リード部１８に対応する径大部分と、表面実装用端子部２８、３０に対応する径小部分とを備えている。これら貫通孔２０、２２には端子リード１２、１４を貫通させ、コンデンサ素子４が取り付けられている。
【００２４】
外装ケース８は、アルミニウム等の金属で形成された金属ケースであって、絶縁板６との対向面側を天井面又は底面として閉じられた有底筒状のケースである。この外装ケース８にはコンデンサ素子４が入れられ、外装ケース８の開口縁部が絶縁板６の溝部２４に挿入されている。
【００２５】
封止樹脂１０は、外装ケース８の充填前には液状であるが、外装ケース８に充填後、固化する樹脂であって、外装ケース８と絶縁板６とを密着させるとともに、外装ケース８及び絶縁板６を封止する手段である。外装ケース８内には封止樹脂１０が隙間なく充填され、絶縁板６の樹脂注入孔２５も封止樹脂１０で満たされている。
【００２６】
端子リード１２は陽極側端子であって、陽極側リード部１６と表面実装用端子部２８とを備え、これらを溶接等により接続されて一体化したものである。陽極側リード部１６は、コンデンサ素子４の陽極箔から引き出され、例えば、円柱状である。表面実装用端子部２８は、実装面側を平坦化し、断面を矩形形状にしたものである。
【００２７】
また、端子リード１４は陰極側端子であって、陰極側リード部１８と表面実装用端子部３０とを備え、端子リード１２と同様に、これらを溶接等により接続されて一体化したものである。陰極側リード部１８は、コンデンサ素子４の陰極箔から引き出され、例えば、円柱状である。表面実装用端子部３０は、実装面側を平坦化し、断面を矩形形状にしたものである。
【００２８】
そして、各表面実装用端子部２８、３０は、絶縁板６に形成されたガイド溝３２、３４に沿って相反方向に折り曲げられて絶縁板６のガイド溝３２、３４に配置されている。
【００２９】
次に、絶縁板６の樹脂注入孔２５及び空気排出孔２６について、図３を参照する。この絶縁板６において、貫通孔２０、２２及び中心Ｏを結ぶ中心線Ｌ１を想定する。この中心線Ｌ１に直交する中心線Ｌ２上に樹脂注入孔２５と、空気排出孔２６とが形成され、これら樹脂注入孔２５及び空気排出孔２６は同一の貫通孔である。このため、何れが樹脂注入、何れが空気排出に用いられてもよい。これら樹脂注入孔２５及び空気排出孔２６は、中心線Ｌ２上の中心Ｏから等距離に形成されている。従って、貫通孔２０、２２と樹脂注入孔２５及び空気排出孔２６とは互いに直交する位置に形成され、しかも、中心Ｏから離間しているので、絶縁板６の強度を低下させることはない。
【００３０】
封止樹脂１０が樹脂注入孔２５から注入されると、外装ケース８内の空気が空気排出孔２６から排出される。そこで、封止樹脂１０は図１及び図４に示すように、外装ケース８とコンデンサ素子４との間にある空間部、コンデンサ素子４と絶縁板６との間にある空間部、樹脂注入孔２５及び空気排出孔２６に隙間なく充填されている。
【００３１】
この第１の実施の形態について、特徴事項、利点又は変形例等を以下に列挙する。
【００３２】
(1) 既述の電解コンデンサ２Ａでは、電子機器の小型化、プリント基板への表面実装の効率化等の要請に対応できる。即ち、電解コンデンサの表面実装の容易化とともに低背化を図ることができる。
【００３３】
(2) 既述の電解コンデンサ２Ａでは、絶縁板６、外装ケース８及び封止樹脂１０を用いて封止構造を実現でき、自立化とともに、低背化及び小型化を実現できる。封口部材に封口ゴムと絶縁板とを併用した従来の電解コンデンサに比較し、封口ゴムの削減等、部品点数の削減できる。
【００３４】
(3) コンデンサ素子４は固体電解コンデンサ素子で構成され、その固体電解質に、二酸化マンガン等の金属酸化物半導体の他、テトラシアノキノジメタン（ＴＣＮＱ）等の有機半導体、ポリチオフェン、ポリピロール、ポリアニリン又はそれらの誘導体等の導電性高分子を利用でき、更には、有機導電性化合物を使用するので、ＥＳＲ特性が改善された電解コンデンサ２Ａを実現できる。さらに、固体電解質にポリチオフェン、ポリピロール、ポリアニリン又はそれらの誘導体等を用いれば、これらはポリマー化しているので、耐熱性に優れ、表面実装化の最適化を図ることができる。
【００３５】
(4) このような固体電解質を用いれば、電解液を用いた電解コンデンサでは電解液の蒸散防止のために不可欠であった封口ゴムが不要であり、電解コンデンサ２Ａでは、封止構造が簡略化されている。
【００３６】
(5) 電解コンデンサの低背化とともに、外装ケース８に金属ケースを用いれば、従来の樹脂ケースよりもケース厚を薄くでき、軽量、小型化を図ることができる。
【００３７】
(6) 絶縁板６及び外装ケース８で閉じ込められた空間が封止樹脂モールドの型として利用でき、電解コンデンサの構造の簡略化とともに、製造の容易化が図られる。
【００３８】
次に、この電解コンデンサの製造について、図５を参照する。図５は電解コンデンサの製造工程を示す図である。
【００３９】
この製造工程は、本発明の固体電解コンデンサの製造方法の一例であって、この製造工程には、絶縁板６へのコンデンサ素子４の取付工程（ステップＳ１）、外装ケース８の取付工程（ステップＳ２）、封止樹脂１０の注入工程（ステップＳ３）、端子リード１２、１４の成形工程（ステップＳ４）が含まれる。
【００４０】
この製造工程には、図示しないが、コンデンサ素子４の形成工程や絶縁板６の成形工程が含まれる。コンデンサ素子４の形成工程では、陽極箔と陰極箔との間にセパレータを介在させて巻回してコンデンサ素子４が形成される。また、この形成工程には、コンデンサ素子４の陽極箔に端子リード１２、陰極箔に端子リード１４を接続する接続工程が含まれる。外装ケース８は例えば、アルミニウムの成形によって形成され、絶縁板６は絶縁性合成樹脂の成形によって既述の形状に形成される。
【００４１】
そこで、絶縁板６へのコンデンサ素子４の取付工程（ステップＳ１）では、図５の（Ａ）に示すように、絶縁板６の貫通孔２０、２２にコンデンサ素子４の端子リード１２、１４を貫通し、陽極側リード部１６、陰極側リード部１８を固定する。これにより、コンデンサ素子４に絶縁板６を固定し、両者を合体させる。
【００４２】
外装ケース８の取付工程（ステップＳ２）では、図５の（Ｂ）に示すように、コンデンサ素子４を合体させた絶縁板６の溝部２４に外装ケース８の開口縁部を挿入し、コンデンサ素子４に外装ケース８を被せる。即ち、絶縁板６と外装ケース８とを結合させる。
【００４３】
封止樹脂１０の注入工程（ステップＳ３）では、図５の（Ｃ）に示すように、絶縁板６と外装ケース８とからなる空間部をモールド型に準え、樹脂注入ノズル３６から供給される液状の封止樹脂１０を絶縁板６の樹脂注入孔２５から外装ケース８に注入する。この樹脂注入により、外装ケース８内の空気は注入された封止樹脂１０に応じて空気排出孔２６から外気に放出される。この空気排出により、封止樹脂１０が外装ケース８の内部に充填されるとともに、樹脂注入孔２５及び空気排出孔２６にも充填される。
【００４４】
端子リード１２、１４の成形工程（ステップＳ４）では、図５の（Ｄ）に示すように、封止樹脂１０の硬化の後、端子リード１２、１４の表面実装用端子部２８、３０がガイド溝３２、３４に沿って折り曲げられ、ガイド溝３２、３４に配置される。
【００４５】
このような製造方法によれば、外装ケース８及び絶縁板６で閉塞された空間部がモールド型として機能する。液状の封止樹脂１０が外装ケース８の内部、樹脂注入孔２５及び空気排出孔２６に注入されて硬化すると、外装ケース８の内面、絶縁板６のケース内面側、樹脂注入孔２５及び空気排出孔２６に固着する。この結果、封止樹脂１０は、コンデンサ素子４をモールドするとともに、外装ケース８と絶縁板６とを固定し、樹脂注入孔２５及び空気排出孔２６を閉塞し、外装ケース８及び絶縁板６が封止樹脂１０で封止される。
【００４６】
〔第２の実施の形態〕
【００４７】
第２の実施の形態は、外装ケースに充填された封止樹脂と絶縁板との固定強度を高めた表面実装型固体電解コンデンサ及びその製造方法である。
【００４８】
この第２の実施の形態について、図６、図７及び図８を参照する。図６は、第２の実施の形態に係る電解コンデンサを示す断面図、図７は、実装側から見た電解コンデンサを示す図、図８は図７のVIII−VIII線断面図である。
【００４９】
この電解コンデンサ２Ｂでは、絶縁板６の樹脂注入孔２５及び空気排出孔２６が外面側を拡開した同一のテーパ孔で形成されている。即ち、何れを樹脂注入孔２５、空気排出孔２６に用いてもよい。
【００５０】
このようなテーパ孔からなる樹脂注入孔２５及び空気排出孔２６を用いれば、外装ケース８内に注入された封止樹脂１０が固化すると、絶縁板６と一体化されるとともに、外側に拡開する樹脂注入孔２５、空気排出孔２６内で硬化した封止樹脂１０により、アンカー効果が得られる。このアンカー効果は、封止樹脂１０が硬化すると、絶縁板６からの抜け止めとして機能し、絶縁板６と外装ケース８との固定強度を高める機能が得られることである。
【００５１】
このような封止構造を用いれば、電解コンデンサ２Ｂの封止強度を高め、電気的特性の劣化の抑制により、信頼性の高い電解コンデンサを実現することができる。
【００５２】
このような効果に加え、この電解コンデンサ２Ｂによれば、第１の実施の形態と同様の効果や利点がある。
【００５３】
〔第３の実施の形態〕
【００５４】
第３の実施の形態は、外装ケースに充填された封止樹脂と外装ケース及び絶縁板との固定強度を高めた表面実装型固体電解コンデンサ及びその製造方法である。
【００５５】
この第３の実施の形態について、図９及び図１０を参照する。図９は、第３の実施の形態に係る電解コンデンサを示す断面図、図１０は、その変形例を示す図である。
【００５６】
この電解コンデンサ２Ｃでは、既述の電解コンデンサ２Ｂ（図８）と同様の絶縁板６を用いるとともに、外装ケース８の内壁部（側面部）に加締め処理によって周回状の突部３８が形成され、部分的に径小化されている。このような外装ケース８によれば、注入した封止樹脂１０に突部３８が食い込み、封止樹脂１０と突部３８との密着強度が高められるとともに、封止樹脂１０の抜止め、即ち、既述のアンカー効果が得られる。
【００５７】
また、この実施の形態では、既述の電解コンデンサ２Ｂ（図８）と同様に、樹脂注入孔２５や空気排出孔２６がテーパ孔であることから、封止樹脂１０に対するアンカー効果が得られる。この結果、この電解コンデンサ２Ｃでは、絶縁板６及び外装ケース８の双方による封止樹脂１０に対するアンカー効果により、封止樹脂１０と絶縁板及び外装ケース８との固定強度が高められる。
【００５８】
このような封止構造を用いれば、電解コンデンサ２Ｃの封止強度を高め、電気的特性の劣化の抑制により、信頼性の高い電解コンデンサを実現することができる。
【００５９】
斯かる効果に加え、この電解コンデンサ２Ｃによれば、第１の実施の形態と同様の効果や利点がある。
【００６０】
また、図９に示す実施の形態では、突部３８を周回状に形成したが、全周的に形成する必要はない。電解コンデンサ２Ｄでは、図１０に示すように、外装ケース８の内壁部（側面部）に単一又は複数の突部４１、４２、４３を形成してもよく、斯かる構成とすれば、外装ケース８と封止樹脂１０との固定強度を高め、既述の通りのアンカー効果が得られる。
【００６１】
〔第４の実施の形態〕
【００６２】
第４の実施の形態は、外装ケースに充填された封止樹脂と端子との固定強度を高めた表面実装型固体電解コンデンサ及びその製造方法である。
【００６３】
この第４の実施の形態について、図１１、図１２及び図１３を参照する。図１１は、第４の実施の形態に係る電解コンデンサを示す断面図、図１２及び図１３は、その変形例を示す図である。
【００６４】
この電解コンデンサ２Ｅでは、図１１に示すように、貫通孔２２の内壁部に貫通する端子リード１４に向かって突出する周回状の突部５０を形成し、この突部５０を陰極側リード部１８の外面部に密着させるようにしたものである。このような突部５０を貫通孔２２に形成すれば、封止樹脂１０が貫通孔２２側に回り込んでも、突部５０が樹脂止めとして機能するので、積極的に貫通孔２２内に封止樹脂１０を注入させることができる。斯かる構成とすれば、貫通孔２２の内壁部と端子リード１４の陰極側リード部１８との固定強度を高めることができるとともに、注入した封止樹脂１０が表面実装用端子部３０側に這い上がる即ち、滲み出すのを防止できる。
【００６５】
図１１では、貫通孔２２及び端子リード１４側について説明したが、貫通孔２０及び端子リード１２側についても、同様に構成することができる。
【００６６】
また、電解コンデンサ２Ｆでは、既述の貫通孔２２の内壁に形成した突部５０に代え、図１２に示すように、貫通させる端子リード１４の陰極側リード部１８の周面に周回状の突部５２を形成し、この突部５２を貫通孔２２の内壁部に密着させるようにしたものである。このように構成すれば、封止樹脂１０が貫通孔２２側に回り込んでも、突部５２が樹脂止めとして機能するので、積極的に貫通孔２２内に封止樹脂１０を注入させることができる。斯かる構成としても、同様の効果が得られる。
【００６７】
図１２では、貫通孔２２及び端子リード１４側について説明したが、貫通孔２０及び端子リード１２側についても、同様に構成することができる。
【００６８】
また、図１３に示すように、電解コンデンサ２Ｇでは、既述の突部５０（図１１）に代え、端子リード１４の突部５２に対応する傾斜段部を備える突部５４を形成し、貫通孔２２を径小化してもよい。このような構成とすれば、封止樹脂１０が貫通孔２２側に回り込んでも、端子リード１４側の突部５２及び貫通孔２２側の突部５４が樹脂止めとして機能するので、積極的に貫通孔２２内に封止樹脂１０を注入させることができる。斯かる構成としても、同様の効果が得られる。また、端子リード１４の抜止め効果を向上させることができる。
【００６９】
図１３では、貫通孔２２及び端子リード１４側について説明したが、貫通孔２０及び端子リード１２側についても、同様に構成することができる。
【００７０】
〔第５の実施の形態〕
【００７１】
第５の実施の形態は、コンデンサ素子が収納された外装ケースに絶縁板を挿入して封止樹脂を外装ケースに充填した電解コンデンサ及びその製造方法である。
【００７２】
この第５の実施の形態について、図１４及び図１５を参照する。図１４は、第５の実施の形態に係る電解コンデンサを示す断面図、図１５は、外装ケース及び絶縁板を示す斜視図である。
【００７３】
この電解コンデンサ２Ｈでは、絶縁板６の溝部２４に外装ケース８の開口縁部を挿入する既述の実施の形態（図１〜図１３）に代え、図１４に示すように、外装ケース８の開口部に絶縁板６０の挿入部５６を挿入し、フランジ部５８を外装ケース８の開口縁部に当接させた構成である。
【００７４】
この場合、図１５に示すように、絶縁板６０の中央部に外装ケース８の開口部に挿入可能な円柱状の挿入部５６が形成され、この挿入部５６の周囲部にフランジ部５８が形成されている。挿入部５６には、既述の貫通孔２０、２２、樹脂注入孔２５及び空気排出孔２６が形成され、これらの機能は既述の実施の形態と同様である。
【００７５】
このような絶縁板６０を使用した電解コンデンサ２Ｈでは、絶縁板６０の挿入部５６が外装ケース８に挿入され、注入された封止樹脂１０と一体化して絶縁板６０が固定されるので、既述の実施の形態と同様の効果が得られる。
【００７６】
〔第６の実施の形態〕
【００７７】
第６の実施の形態は既述の表面実装型固体電解コンデンサを用いた電子機器である。
【００７８】
この第６の実施の形態について、図１６を参照する。図１６は、第６の実施の形態に係る電子機器を示す図である。
【００７９】
この電子機器６２は、既述の電解コンデンサ２（２Ａ、２Ｂ、２Ｃ、２Ｄ、２Ｅ、２Ｆ、２Ｇ又は２Ｈ）を用いる機能回路を備える。この電子機器６２では、図１６に示すように、配線部材としてプリント回路基板６４が用いられ、このプリント回路基板６４には回路導体６６やスルーホール６８が形成され、回路導体６６には電解コンデンサ２とともに、機能素子７０が半田７２によって接続されている。
【００８０】
このように既述の電解コンデンサ２は電子機器６２等の各種の電子機器に利用でき、その低背化によって電子機器の小型化や軽量化に寄与することができる。
【００８１】
〔他の実施の形態〕
【００８２】
(1) 樹脂注入孔２５について、図１７の（Ａ）に示すように、樹脂注入孔２５の中途部分に内壁面から樹脂注入孔２５の中心軸と交差方向に突出する突部７４を形成し、この突部７４内に封止樹脂１０を侵入させ、樹脂注入孔２５内の封止樹脂１０と一体に硬化させてもよい。斯かる構成とすれば、樹脂注入孔２５が円筒孔であっても、硬化した封止樹脂１０による絶縁板６と外装ケース８とのアンカー効果が高められる。
【００８３】
(2) 樹脂注入孔２５について、図１７の（Ｂ）に示すように、絶縁板６の外面部に外面方向を径大に内面方向を径小にしたテーパ部２５Ａと、絶縁板６の内面部に内面方向を径大に外面方向を径小にしたテーパ部２５Ｂと、これらテーパ部２５Ａ、２５Ｂとの間の中途部分を同径の径小部２５Ｃとを備え、樹脂注入孔２５の中心軸と交差方向に樹脂注入孔２５内に向かって絶縁板６から突出する突部７６を形成してもよい。斯かる構成とすれば、樹脂注入孔２５内で硬化した封止樹脂１０は、径小部２５Ｃを境にしてテーパ部２５Ａとテーパ部２５Ｂに跨がって絶縁板６と一体化するので、硬化した封止樹脂１０による絶縁板６と外装ケース８とのアンカー効果が高められる。
【００８４】
(3) 上記実施の形態では、絶縁板６に絶縁性合成樹脂で形成された樹脂板を用いているが、金属板を合成樹脂で覆った形態の絶縁板や、金属板をインサート成形した樹脂板を用いてもよい。
【００８５】
(4) 上記実施の形態では、端子リード１２、１４に極側リード部と表面実装用端子部とを連結して形成したものを例示したが、極側リード部のみで端子リードを構成してもよい。
【００８６】
(5) 上記実施の形態では、巻回型のコンデンサ素子４を例示したが、電極箔を巻回しない固体コンデンサ素子を用いてもよい。
【００８７】
(6) 上記実施の形態では、外装ケース８に金属ケースを用いることを例示したが、金属ケース以外の樹脂ケースを用いてもよい。
【００８８】
上記実施の形態から抽出される特徴事項を列挙すれば、次の通りである。これら特徴事項に本発明が限定されるものではない。
【００８９】
ａ）表面実装型固体電解コンデンサにおいて、前記絶縁板は、前記外装ケースの開口縁部が挿入される溝部を備え、該溝部に前記外装ケースの開口縁部を挿入させて保持している。
【００９０】
ｂ) 表面実装型固体電解コンデンサにおいて、前記絶縁板は、前記外装ケースの開口部に挿入される挿入部を備え、該挿入部を前記外装ケースに挿入して保持させる。
【００９１】
ｃ）表面実装型固体電解コンデンサにおいて、前記外装ケースは、前記コンデンサ素子側に突出する単一又は複数の突部を備える。
【００９２】
ｄ) 表面実装型固体電解コンデンサにおいて、前記端子貫通孔の中途部分に突起が備えられ、該突起を前記端子リードに密着させている。
【００９３】
ｅ) 表面実装型固体電解コンデンサにおいて、前記端子リードは、前記端子貫通孔の貫通部分に突起を備え、該突起が前記端子貫通孔の内壁に密着している。
【００９４】
ｆ) 表面実装型固体電解コンデンサの製造方法において、前記絶縁板に前記に樹脂注入孔と別個に空気排出孔を備え、前記液状樹脂の注入の際、該空気排出孔から前記外装ケース内の空気を排出させる。
【００９５】
以上説明したように、表面実装型固体電解コンデンサ、その製造方法又は電子機器の実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【００９６】
本発明の表面実装型固体電解コンデンサ、その製造方法又は電子機器は、絶縁板及び外装ケースをモールド型に用いて封止樹脂を注入し、この封止樹脂によって外装ケース及び絶縁板を封止したので、電解コンデンサの低背化、小型化、軽量化等を図ることができ、電気的特性の劣化防止等に寄与し、広く電子機器に利用でき、有用である。
【符号の説明】
【００９７】
２、２Ａ、２Ｂ、２Ｃ、２Ｄ、２Ｅ、２Ｆ、２Ｇ、２Ｈ  電解コンデンサ
４  コンデンサ素子
６、６０  絶縁板
８  外装ケース
１０  封止樹脂
１２、１４  端子リード
２４  溝部
５６  挿入部
３８、４１、４２、４３  突部
５０、５２、５４  突部
【図１】
2011077368.tif 000003
【図２】
2011077368.tif 000004
【図３】
2011077368.tif 000005
【図４】
2011077368.tif 000006
【図５】
2011077368.tif 000007
【図６】
2011077368.tif 000008
【図７】
2011077368.tif 000009
【図８】
2011077368.tif 000010
【図９】
2011077368.tif 000011
【図１０】
2011077368.tif 000012
【図１１】
2011077368.tif 000013
【図１２】
2011077368.tif 000014
【図１３】
2011077368.tif 000015
【図１４】
2011077368.tif 000016
【図１５】
2011077368.tif 000017
【図１６】
2011077368.tif 000018
【図１７】
2011077368.tif 000019